(57)【特許請求の範囲】
【請求項１】
ロングタームエボリューション（ＬＴＥ）システムの距離測定装置（ＤＭＥ）干渉抵抗能力を向上させる方法であって、
時間領域データシンボル間の電力比と予め設定された閾値を比較することと、
時間領域データシンボル間の電力比と予め設定された閾値を比較することで、シンボルレベルＤＭＥ干渉結果を取得することと、
取得されたシンボルレベルＤＭＥ干渉結果または前記シンボルレベルＤＭＥ干渉結果および現在のサブフレームの物理ダウンリンク共有チャネル（ＰＤＳＣＨ）スケジューリング状況に基づいてスケジューリングメッセージを送信することとを含み、
前記時間領域データシンボル間の電力比と予め設定された閾値を比較することで、シンボルレベルＤＭＥ干渉結果を取得することは、
時間領域データシンボル間の電力比が前記予め設定された閾値以上である場合、シンボルレベルＤＭＥ干渉が存在すると判定すること、または、
時間領域データシンボル間の電力比が閾値より小さい場合、シンボルレベルＤＭＥ干渉が存在しないと判定することを含む、前記ＬＴＥシステムのＤＭＥ干渉抵抗能力を向上させる方法。
【請求項２】
前記取得されたシンボルレベルＤＭＥ干渉結果および現在のサブフレームにおけるＰＤＳＣＨスケジューリング状況に基づいてスケジューリングメッセージを送信することは、
シンボルレベルＤＭＥ干渉が存在しかつ現在のサブフレームにおけるＰＤＳＣＨスケジューリングがある場合、不連続送信（ＤＴＸ）メッセージを送信することを含むことを特徴とする
請求項１に記載のＬＴＥシステムのＤＭＥ干渉抵抗能力を向上させる方法。
【請求項３】
前記取得されたシンボルレベルＤＭＥ干渉結果および現在のサブフレームにおけるＰＤＳＣＨスケジューリング状況に基づいてスケジューリングメッセージを送信することは、
シンボルレベルＤＭＥ干渉が存在しかつ現在のサブフレームにおけるＰＤＳＣＨスケジューリングがない場合、肯定応答（ＡＣＫ）メッセージを送信することをさらに含み、
前記取得されたシンボルレベルＤＭＥ干渉結果に基づいてスケジューリングメッセージを送信することは、
シンボルレベルＤＭＥ干渉が存在しない場合、否定応答（ＮＡＣＫ）メッセージを送信することを含むことを特徴とする
請求項１に記載のＬＴＥシステムのＤＭＥ干渉抵抗能力を向上させる方法。
【請求項４】
ロングタームエボリューション（ＬＴＥ）システムの距離測定装置（ＤＭＥ）干渉抵抗能力を向上させる方法であって、
スケジューリングメッセージを受信し、受信されたスケジューリングメッセージに基づいてサブフレームをスケジューリングすることを含み、
前記受信されたスケジューリングメッセージに基づいてサブフレームをスケジューリングすることは、
不連続送信（ＤＴＸ）メッセージを受信した場合、干渉されたサブフレームが混合自動再送要求（ＨＡＲＱ）の新しい伝送データとして再度スケジューリングされることと、
肯定応答（ＡＣＫ）メッセージを受信した場合、後続のサブフレームの変調および符号化スキーム（ＭＣＳ）値を増加し、後続のサブフレームのスケジューリングを行うことと、
否定応答（ＮＡＣＫ）メッセージを受信した場合、後続のサブフレームのＭＣＳ値を減少させ、ＨＡＲＱプロセスの再送データをスケジューリングし、ＨＡＲＱ合併を行うこととを含む、前記ＬＴＥシステムのＤＭＥ干渉抵抗能力を向上させる方法。
【請求項５】
ロングタームエボリューション（ＬＴＥ）システムの距離測定装置（ＤＭＥ）干渉抵抗能力を向上させるユーザ装置（ＵＥ）であって、
時間領域データシンボル間の電力比と予め設定された閾値を比較することで、シンボルレベルＤＭＥ干渉結果を取得するように構成される第一のダウンリンク物理（ＰＨＹ）層と、
第一のダウンリンクＰＨＹ層により送信されたシンボルレベルＤＭＥ干渉結果または前記シンボルレベルＤＭＥ干渉結果および現在のサブフレームの物理ダウンリンク共有チャネル（ＰＤＳＣＨ）スケジューリングがあるかどうかに基づいて、スケジューリングメッセージを送信するように第一のアップリンク物理（ＰＨＹ）層に通知するように構成される第一の媒体アクセス制御（ＭＡＣ）層と、
第一のＭＡＣ層の通知に応じてスケジューリングメッセージを送信するように構成される第一のアップリンクＰＨＹ層とを含み、
前記第一のダウンリンクＰＨＹ層は、時間領域データシンボル間の電力比が閾値以上である場合、シンボルレベルＤＭＥ干渉が存在すると判定するように構成され、または、
前記第一のダウンリンクＰＨＹ層は、さらに時間領域データシンボル間の電力比が閾値より小さい場合、シンボルレベルＤＭＥ干渉が存在しないと判定するように構成される、前記ＬＴＥシステムのＤＭＥ干渉抵抗能力を向上させるＵＥ。
【請求項６】
前記第一のＭＡＣ層は、
シンボルレベルＤＭＥ干渉が存在しかつ現在のサブフレームにおけるＰＤＳＣＨスケジューリングがある場合、不連続送信（ＤＴＸ）メッセージを送信するように第一のアップリンクＰＨＹ層に通知するように構成される第一の処理モジュールを含むことを特徴とする
請求項５に記載のＬＴＥシステムのＤＭＥ干渉抵抗能力を向上させるＵＥ。
【請求項７】
前記第一のＭＡＣ層は、
シンボルレベルＤＭＥ干渉が存在しかつ現在のサブフレームにおけるＰＤＳＣＨスケジューリングがない場合、肯定応答（ＡＣＫ）メッセージを送信するように第一のアップリンクＰＨＹ層に通知するように構成される第二の処理モジュールと、
シンボルレベルＤＭＥ干渉が存在しない場合、現在のサブフレームがＤＭＥによって干渉されないと判定し、否定応答（ＮＡＣＫ）メッセージを送信するように第一のアップリンクＰＨＹ層に通知するように構成される第三の処理モジュールとを含むことを特徴とする
請求項５に記載のＬＴＥシステムのＤＭＥ干渉抵抗能力を向上させるＵＥ。
【請求項８】
ロングタームエボリューション（ＬＴＥ）システムの距離測定装置（ＤＭＥ）干渉抵抗能力を向上させる発展型基地局（ｅＮＢ）であって、
スケジューリングメッセージを受信したかどうかをリアルタイムに検出し、検出されたスケジューリングメッセージを第二の媒体アクセス制御（ＭＡＣ）層に送信するように構成される第二のアップリンク物理（ＰＨＹ）層と、
第二のアップリンクＰＨＹ層により送信されたスケジューリングメッセージに基づいてサブフレームをスケジューリングするように構成される第二のＭＡＣ層と、
第二のＭＡＣ層のスケジューリング情報に基づいて、ダウンリンク時間領域データを第一のダウンリンク物理（ＰＨＹ）層に送信するように構成される第二のダウンリンク物理（ＰＨＹ）層とを含み、
前記第二のＭＡＣ層は、不連続送信（ＤＴＸ）メッセージを受信した場合、混合自動再送要求（ＨＡＲＱ）の新しい伝送データとする干渉されたサブフレームを再度スケジューリングし、肯定応答（ＡＣＫ）メッセージを受信した場合、後続のサブフレームの符号化スキーム（ＭＣＳ）値を増加し、後続のサブフレームをスケジューリングし、否定応答（ＮＡＣＫ）メッセージを受信した場合、後続のサブフレームのＭＣＳ値を減少させ、ＨＡＲＱプロセスの再送データをスケジューリングし、ＨＡＲＱ合併を行うように構成される、前記ＬＴＥシステムのＤＭＥ干渉抵抗能力を向上させるｅＮＢ。
【請求項９】
コンピュータ記憶媒体であって、
請求項１〜３のいずれか１項に記載の方法、または請求項４に記載の方法を実行するためのコンピュータ実行可能命令を記憶している、前記コンピュータ記憶媒体。
【発明の詳細な説明】
【技術分野】
【０００１】
本発明は、ロングタームエボリューション（ＬＴＥ：Ｌｏｎｇ  Ｔｅｒｍ  Ｅｖｏｌｕｔｉｏｎ）技術に関し、特にＬＴＥシステムの距離測定装置（ＤＭＥ：Ｄｉｓｔａｎｃｅ  Ｍｅａｓｕｒｅ  Ｅｑｕｉｐｍｅｎｔ）干渉抵抗能力を向上させる方法、装置および記憶媒体に関する。
【背景技術】
【０００２】
ＬＴＥは、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／周波数分割多重アクセス（ＦＤＭＡ：Ｆｒｅｑｕｅｎｃｙ  Ｄｉｖｉｓｉｏｎ  Ｍｕｌｔｉｐｌｅｘｉｎｇ  Ａｃｃｅｓｓ）をコアとする技術であり、「準４Ｇ」技術と認められる。ＬＴＥは、２Ｇ／３Ｇ技術と比較して、より高いデータレートを提供し、セル容量を増加させ、システム遅延を低減し、より大きいセルカバレッジをサポートすることができるなどの利点を持つので、ますます多くの通信事業者に愛用され、応用範囲が高速列車通信から地上対空通信に拡張され、例えば、航空機通信システムにより、乗客が航空機の飛行中にデータサービスを楽しむようにする。
【０００３】
現在、ＬＴＥの低高度通信航空カバレッジは、図１に示すように、航空機の航路に沿ってＬＴＥ発展型基地局１０（ｅＮＢ：ｅｖｏｌｖｅｄ  Ｎｏｄｅ  Ｂ）を使用してネットワークのレイアウトを行い、ＬＴＥユーザ装置２０（ＵＥ：Ｕｓｅｒ  Ｅｑｕｉｐｍｅｎｔ）を機械的通信機器（すなわち航空機搭載ＬＴＥ  ＵＥ）として地上対空無線チャネルを確立する。キャビン内のＬＴＥのネットワークのレイアウトは、図２に示され、航空機搭載ＬＴＥ  ＵＥが外部アンテナ３０を介してＬＴＥ  ｅＮＢと接続を確立し、キャビンの内部でイーサネットを介して無線ＬＡＮ（ＷＩＦＩ）アクセスポイント４０（ＡＰ：Ａｃｃｅｓｓ  Ｐｏｉｎｔ）に接続されて無線ＬＡＮを構築し、航空機の乗客がスマートフォン、パーソナルデジタルアシスタント（ＰＤＡ：Ｐｅｒｓｏｎａｌ  Ｄｉｇｉｔａｌ  Ａｓｓｉｓｔａｎｔ）、携帯型コンピュータなどの装置を使用して無線ＬＡＮにアクセスし、飛行の旅におけるネットサーフィング、電子メールの送受信、ファイル伝送プロトコル（ＦＴＰ：Ｆｉｌｅ  Ｔｒａｎｓｆｅｒ  Ｐｒｏｔｏｃｏｌ）のダウンロードなどのサービスを実現することができる。
【０００４】
航空機の外部アンテナは、図３に示すように分布され、キャビン腹部に外部アンテナ以外、航空機の必要なＤＭＥ装置用アンテナ５０がインストールされ、ＤＭＥ装置の送信電力が５７ｄＢｍであり、航空機搭載ＬＴＥ  ＵＥダウンリンク周波数ポイントがちょうどＤＭＥ装置に占有された周波数ポイント範囲に位置するので、両者が同時に動作する場合、航空機搭載ＬＴＥ  ＵＥのダウンリンクチャネルの搬送波干渉対ノイズ比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）が非常に低く、ＬＴＥシステムのダウンストリームトラフィックに深刻な影響を及ぼす。干渉を受けるため、ＤＭＥによって干渉されたサブフレームは、正しく検査されることができないので、複数回再送される。しかし、同じ混合自動再送要求（ＨＡＲＱ：Ｈｙｂｒｉｄ  Ａｕｔｏｍａｔｉｃ  Ｒｅｐｅａｔ  Ｒｅｑｕｅｓｔ）を複数回再送しても、プロセスデータが依然として巡回冗長検査コード（ＣＲＣ：Ｃｙｃｌｉｃ  Ｒｅｄｕｎｄａｎｃｙ  Ｃｈｅｃｋ）を介して検査されることができないかもしれず、このようにして複数回の無効な再送が無線リソースを浪費し、かつ複数回の合併失敗がＬＴＥ  ｅＮＢの後続のサブフレームのスケジューリングに対する変調および符号化スキーム（ＭＣＳ：Ｍｏｄｕｌａｔｉｏｎ  ａｎｄ  Ｃｏｄｉｎｇ  Ｓｃｈｅｍｅ）値に影響を与え、ＬＴＥシステムのダウンストリームトラフィックの低下を引き起こす。
【発明の概要】
【０００５】
これを鑑みて、本発明の実施形態は、ＤＭＥにより干渉された場合のＬＴＥシステムのダウンストリームトラフィックを効果的に向上できる、ＬＴＥシステムのＤＭＥ干渉抵抗能力を向上させる方法、装置および記憶媒体を提供することを目的とする。
【０００６】
前記目的を実現するために、本発明の実施形態による技術的解決手段は、以下のように実現される。
【０００７】
本発明の実施形態の第一の態様によるＬＴＥシステムのＤＭＥ干渉抵抗能力を向上させる方法は、
シンボルレベル距離測定装置（ＤＭＥ）干渉結果を取得することと、
取得されたシンボルレベルＤＭＥ干渉結果または前記シンボルレベルＤＭＥ干渉結果および現在のサブフレームの物理ダウンリンク共有チャネル（ＰＤＳＣＨ）スケジューリング状況に基づいてスケジューリングメッセージを送信することとを含む。
【０００８】
好ましくは、前記シンボルレベルＤＭＥ干渉結果を取得することは、
時間領域データシンボル間の電力比と予め設定された閾値を比較することで、シンボルレベルＤＭＥ干渉結果を取得することを含む。
【０００９】
好ましくは、前記時間領域データシンボル間の電力比と予め設定された閾値を比較することで、シンボルレベルＤＭＥ干渉結果を取得することは、
時間領域データシンボル間の電力比が前記予め設定された閾値以上である場合、シンボルレベルＤＭＥ干渉が存在すると判定することを含む。
【００１０】
好ましくは、前記取得されたシンボルレベルＤＭＥ干渉結果および現在のサブフレームの物理ダウンリンク共有チャネル（ＰＤＳＣＨ）スケジューリング状況に基づいてスケジューリングメッセージを送信することは、
シンボルレベルＤＭＥ干渉が存在しかつ現在のサブフレームにおけるＰＤＳＣＨスケジューリングがある場合、不連続送信（ＤＴＸ）メッセージを送信することを含む。
【００１１】
好ましくは、前記時間領域データシンボル間の電力比と予め設定された閾値を比較することで、シンボルレベルＤＭＥ干渉結果を取得することは、
時間領域データシンボル間の電力比が閾値より小さい場合、シンボルレベルＤＭＥ干渉が存在しないと判定することを含む。
【００１２】
好ましくは、前記取得されたシンボルレベルＤＭＥ干渉結果および現在のサブフレームの物理ダウンリンク共有チャネル（ＰＤＳＣＨ）スケジューリング状況に基づいてスケジューリングメッセージを送信することは、
シンボルレベルＤＭＥ干渉が存在し、かつ現在のサブフレームにおけるＰＤＳＣＨスケジューリングがない場合、肯定応答（ＡＣＫ）メッセージを送信することを含み、
前記取得されたシンボルレベルＤＭＥ干渉結果に基づいてスケジューリングメッセージを送信することは、
シンボルレベルＤＭＥ干渉が存在しない場合、否定応答（ＮＡＣＫ）メッセージを送信することを含む。
【００１３】
本発明の実施形態の第二の態様によるＬＴＥシステムのＤＭＥ干渉抵抗能力を向上させる方法は、
スケジューリングメッセージを受信し、受信されたスケジューリングメッセージに基づいてサブフレームをスケジューリングすることを含む。
【００１４】
好ましくは、前記受信されたスケジューリングメッセージに基づいてサブフレームをスケジューリングすることは、
ＤＴＸメッセージを受信した場合、干渉されたサブフレームが混合自動再送要求（ＨＡＲＱ）の新しい伝送データとして再度スケジューリングされることと、
ＡＣＫメッセージを受信した場合、後続のサブフレームの変調および符号化スキーム（ＭＣＳ）値を増加し、後続のサブフレームのスケジューリングを行うことと、
ＮＡＣＫメッセージを受信した場合、後続のサブフレームのＭＣＳ値を減少させ、ＨＡＲＱプロセスの再送データをスケジューリングし、ＨＡＲＱ合併を行うこととを含む。
【００１５】
本発明の実施形態の第三の態様によるＬＴＥシステムのＤＭＥ干渉抵抗能力を向上させるＵＥは、
シンボルレベルＤＭＥ干渉結果を取得するように構成される第一のダウンリンク物理（ＰＨＹ）層と、
第一のダウンリンクＰＨＹ層により送信されたシンボルレベルＤＭＥ干渉結果または前記シンボルレベルＤＭＥ干渉結果および現在のサブフレームにおけるＰＤＳＣＨスケジューリングがあるかどうかに基づいて現在のサブフレームのＤＭＥによって干渉された状況を判定してスケジューリングメッセージを送信するように第一のアップリンク物理（ＰＨＹ）層に通知するように構成される第一の媒体アクセス制御（ＭＡＣ）層と、
第一のＭＡＣ層の通知に応じてスケジューリングメッセージを送信するように構成される第一のアップリンクＰＨＹ層とを含む。
【００１６】
好ましくは、前記第一のダウンリンクＰＨＹ層は、時間領域データシンボル間の電力比と予め設定された閾値を比較することで、シンボルレベルＤＭＥ干渉結果を取得するように構成される。
【００１７】
好ましくは、前記第一のダウンリンクＰＨＹ層は、時間領域データシンボル間の電力比が閾値以上である場合、シンボルレベルＤＭＥ干渉が存在すると判定するように構成される。
【００１８】
好ましくは、前記第一のＭＡＣ層は、
シンボルレベルＤＭＥ干渉が存在しかつ現在のサブフレームにおけるＰＤＳＣＨスケジューリングがある場合、ＤＴＸメッセージを送信するように第一のアップリンクＰＨＹ層に通知するように構成される第一の処理モジュールを含む。
【００１９】
好ましくは、前記第一のダウンリンクＰＨＹ層は、さらに時間領域データシンボル間の電力比が閾値より小さい場合、シンボルレベルＤＭＥ干渉が存在しないと判定するように構成される。
【００２０】
好ましくは、前記第一のＭＡＣ層は、
シンボルレベルＤＭＥ干渉が存在しかつ現在のサブフレームにおけるＰＤＳＣＨスケジューリングがない場合、ＡＣＫメッセージを送信するように第一のアップリンクＰＨＹ層に通知するように構成される第二の処理モジュールと、
シンボルレベルＤＭＥ干渉が存在しない場合、ＮＡＣＫメッセージを送信するように第一のアップリンクＰＨＹ層に通知するように構成される第三の処理モジュールとを含む。
【００２１】
本発明の第四の態様によるＬＴＥシステムのＤＭＥ干渉抵抗能力を向上させるｅＮＢは、
スケジューリングメッセージを受信したかどうかをリアルタイムに検出し、検出されたスケジューリングメッセージを第二のＭＡＣ層に送信するように構成される第二のアップリンクＰＨＹ層と、
第二のアップリンクＰＨＹ層により送信されたスケジューリングメッセージに基づいてサブフレームをスケジューリングするように構成される第二のＭＡＣ層と、
第二のＭＡＣ層のスケジューリング情報に基づいて、ダウンリンク時間領域データを第一のダウンリンクＰＨＹ層に送信するように構成される第二のダウンリンクＰＨＹ層とを含む。
【００２２】
好ましくは、第二のＭＡＣ層は、ＤＴＸメッセージを受信した場合、ＨＡＲＱの新しい伝送データとする干渉されたサブフレームを再度スケジューリングし、ＡＣＫメッセージを受信した場合、後続のサブフレームのＭＣＳ値を増加し、後続のサブフレームをスケジューリングし、ＮＡＣＫメッセージを受信した場合、後続のサブフレームのＭＣＳ値を減少させ、ＨＡＲＱプロセスの再送データをスケジューリングし、ＨＡＲＱ合併を行うように構成される。
【００２３】
本発明の実施形態の第五の態様によるコンピュータ記憶媒体は、本発明の実施形態の第一の態様によるいずれか一つの技術的解決手段に記載される方法を実行するためのコンピュータ実行可能命令を記憶している。
【００２４】
本発明の実施形態の第六の態様によるコンピュータ記憶媒体は、本発明の実施形態の第二の態様によるいずれか一つの技術的解決手段に記載される方法を実行するためのコンピュータ実行可能命令を記憶している。
【００２５】
本発明の実施形態によるＬＴＥシステムのＤＭＥ干渉抵抗能力を向上させる方法、装置および記憶媒体において、ＬＴＥ  ＵＥ側では、シンボルレベルＤＭＥ干渉結果を取得し、取得されたシンボルレベルＤＭＥ干渉結果または前記シンボルレベルＤＭＥ干渉結果および現在のサブフレームにおけるＰＤＳＣＨスケジューリング状況に基づいて、対応するスケジューリングメッセージを送信し、ＬＴＥ  ｅＮＢ側では、受信されたスケジューリングメッセージに基づいてサブフレームをスケジューリングすることにより、ＤＭＥは、干渉されたサブフレームのみに影響を与え、隣接するサブフレームのＭＣＳ値を小さくすることができず、かつ干渉されたサブフレームデータの複数回再送による無線リソースの浪費が発生せず、ＤＭＥによって干渉された場合のＬＴＥシステムのダウンストリームトラフィックを効果的に向上させることができる。
【図面の簡単な説明】
【００２６】
【図１】ＬＴＥの低高度通信航空カバレッジを示す図である。
【図２】キャビン内のＬＴＥのネットワークのレイアウトを示す図である。
【図３】航空機の外部アンテナの分布を示す図である。
【図４】本発明の実施形態によるＬＴＥシステムのＤＭＥ干渉抵抗能力を向上させる方法におけるＬＴＥ  ＵＥ側の基本的な実現プロセスを示す図である。
【図５】本発明の実施形態によるＬＴＥシステムのＤＭＥ干渉抵抗能力を向上させる方法におけるＬＴＥ  ｅＮＢ側の基本的な実現プロセスを示す図である。
【図６】本発明の実施形態によるＬＴＥシステムのＤＭＥ干渉抵抗能力を向上させる方法におけるＬＴＥ  ＵＥ側の具体的な実現プロセスを示す図である。
【図７】本発明の実施形態によるＬＴＥシステムのＤＭＥ干渉抵抗能力を向上させる方法におけるＬＴＥ  ｅＮＢ側の具体的な実現プロセスを示す図である。
【図８】本発明の実施形態によるＬＴＥシステムのＤＭＥ干渉抵抗能力を向上させるＵＥの構成構造図である。
【図９】本発明の実施形態によるＬＴＥシステムのＤＭＥ干渉抵抗能力を向上させるｅＮＢ構成構造図である。
【図１０】本発明の実施形態による本発明の実施形態に記載されるＬＴＥシステムのＤＭＥ干渉抵抗能力を向上させる方法を実現するための装置の構成図である。
【発明を実施するための形態】
【００２７】
以下に図面を参照して本発明の好ましい実施形態を詳しく説明する。以下に説明される好ましい実施形態が本発明を説明および解釈することに用いられるものだけであり、本発明を限定することに用いられない。
【００２８】
本発明の実施形態によるＬＴＥシステムのＤＭＥ干渉抵抗能力を向上させる方法は、端末側方法および基地局側方法を含む。
【００２９】
前記端末側方法は、シンボルレベル距離測定装置（ＤＭＥ）干渉結果を取得することと、
取得されたシンボルレベルＤＭＥ干渉結果または前記ＤＭＥおよび現在のサブフレームの物理ダウンリンク共有チャネル（ＰＤＳＣＨ）スケジューリング状況に基づいてスケジューリングメッセージを送信することとを含む。
【００３０】
前記基地局側方法は、端末が、取得されたシンボルレベルＤＭＥ干渉結果または前記ＤＭＥおよび現在のサブフレームの物理ダウンリンク共有チャネル（ＰＤＳＣＨ）スケジューリング状況に基づいて送信したスケジューリングメッセージを受信することと、
前記スケジューリングメッセージに基づいてサブフレームをスケジューリングすることとを含む。
【００３１】
前記シンボルレベル干渉結果は、シンボルレベルＤＭＥ干渉が存在すること、およびシンボルレベルＤＭＥ干渉が存在しないことを含む。
【００３２】
シンボルＤＭＥ干渉が存在しない場合、ＵＥは、前記シンボルレベルＤＭＥ干渉結果のみに基づいて否定応答（ＮＡＣＫ）メッセージを送信することができる。
【００３３】
前記シンボルレベルＤＭＥ干渉が存在する場合、ＵＥは、さらに前記現在のサブフレームの物理ダウンリンク共有チャネル（ＰＤＳＣＨ）スケジューリング状況に基づいて、スケジューリングメッセージの送信タイプを確定する。
【００３４】
具体的には、前記シンボルレベルＤＭＥ干渉が存在し、かつ現在のサブフレームにおけるＰＤＳＣＨスケジューリングがある場合、不連続送信（ＤＴＸ）メッセージを送信し、前記シンボルレベルＤＭＥ干渉が存在しかつ現在のサブフレームにおけるＰＤＳＣＨスケジューリングがない場合、肯定応答（ＡＣＫ）メッセージを送信する。
【００３５】
本発明の実施形態において、ＬＴＥ  ＵＥとＬＴＥ  ｅＮＢは、それぞれアップリンクＰＨＹ層、ダウンリンクＰＨＹ層、およびＭＡＣ層を含む。説明を容易にするために、ＬＴＥ  ＵＥのアップリンクＰＨＹ層、ダウンリンクＰＨＹ層、およびＭＡＣ層を第一のアップリンクＰＨＹ層、第一のダウンリンクＰＨＹ層、および第一のＭＡＣ層と呼び、ＬＴＥ  ｅＮＢのアップリンクＰＨＹ層、ダウンリンクＰＨＹ層、およびＭＡＣ層を第二のアップリンクＰＨＹ層、第二のダウンリンクＰＨＹ層、および第二のＭＡＣ層と呼ぶ。
【００３６】
具体的には、前記端末側方法を実現するための端末は、
シンボルレベルＤＭＥ干渉結果を取得するように構成される第一のダウンリンクＰＨＹ層と、
第一のダウンリンクＰＨＹ層により送信されたシンボルレベルＤＭＥ干渉結果または前記シンボルレベルＤＭＥ干渉結果および現在のサブフレームにおけるＰＤＳＣＨスケジューリングがあるかどうかに基づいて現在のサブフレームのＤＭＥにより干渉された状況を判定し、スケジューリングメッセージを送信するように第一のアップリンクＰＨＹ層に通知するように構成される第一のＭＡＣ層と、
第一のＭＡＣ層の通知に応じてスケジューリングメッセージを送信するように構成される第一のアップリンクＰＨＹ層とを含むことができる。
【００３７】
ここで前記第一のＭＡＣ層は、第一の処理モジュール、第二の処理モジュールおよび第三の処理モジュールに分けることができる。
【００３８】
前記第一の処理モジュールは、シンボルレベルＤＭＥ干渉が存在し、かつ現在のサブフレームにおけるＰＤＳＣＨスケジューリングがある場合、ＤＴＸメッセージを送信するように第一のアップリンクＰＨＹ層に通知するように構成される。
【００３９】
前記第二の処理モジュールは、シンボルレベルＤＭＥ干渉が存在しかつ現在のサブフレームにおけるＰＤＳＣＨスケジューリングがない場合、ＡＣＫメッセージを送信するように第一のアップリンクＰＨＹ層に通知するように構成される。
【００４０】
前記第三の処理モジュールは、シンボルレベルＤＭＥ干渉が存在しない場合、現在のサブフレームがＤＭＥによって干渉されないと判定し、ＮＡＣＫメッセージを送信するように第一のアップリンクＰＨＹ層に通知するように構成される。
【００４１】
具体的には、前記基地局側方法を実現するための基地局は、
スケジューリングメッセージを受信したかどうかをリアルタイムに検出し、検出されたスケジューリングメッセージを第二のＭＡＣ層に送信するように構成される第二のアップリンクＰＨＹ層と、
第二のアップリンクＰＨＹ層により送信されたスケジューリングメッセージに基づいてサブフレームをスケジューリングするように構成される第二のＭＡＣ層と、
第二のＭＡＣ層のスケジューリングメッセージに基づいて、ダウンリンク時間領域データを第一のダウンリンクＰＨＹ層に送信するように構成される第二のダウンリンクＰＨＹ層とを含むことができる。
【００４２】
本発明の実施形態において、第一のダウンリンクＰＨＹ層は、時間領域データシンボル間の電力比と予め設定された閾値を比較してシンボルレベルＤＭＥ干渉結果を取得する。
【００４３】
ここで、ＤＭＥ信号が到来する場合にデータが飽和となるので、無線受信装置の飽和データと正常データの電力比に基づいて前記予め設定された閾値を計算して取得し、一般的に前記予め設定された閾値の範囲が２ｄＢ〜１０ｄＢであってよい。
【００４４】
取得されたシンボルレベルＤＭＥ干渉結果および現在のサブフレームのＰＤＳＣＨスケジューリング状況に基づいて、現在のサブフレームがＤＭＥによって干渉されるかどうかを判定し、対応するスケジューリングメッセージを送信することは、具体的に、
シンボルレベルＤＭＥ干渉が存在し、かつ現在のサブフレームにおけるＰＤＳＣＨスケジューリングがあり、第一の媒体アクセス制御（ＭＡＣ：Ｍｅｄｉａ  Ａｃｃｅｓｓ  Ｃｏｎｔｒｏｌ）層が、現在のサブフレームがＤＭＥによって干渉されたと判定した場合、ＤＴＸメッセージを送信するように第一のアップリングＰＨＹ層に通知すること、または
シンボルレベルＤＭＥ干渉が存在し、かつ現在のサブフレームにおけるＰＤＳＣＨスケジューリングがなく、第一のＭＡＣ層が、現在のサブフレームがＤＭＥによって干渉されないと判定した場合、ＡＣＫメッセージを送信するように第一のアップリンクＰＨＹ層に通知すること、または
ＤＭＥ干渉が存在しなく、第一のＭＡＣ層が、現在のサブフレームがＤＭＥによって干渉されないと判定した場合、ＮＡＣＫメッセージを送信するように第一のアップリンクＰＨＹ層に通知することを含む。
【００４５】
ＬＴＥ  ｅＮＢ側が受信されたスケジューリングメッセージに基づいてスケジューリングすることは、具体的に、
第二のＭＡＣ層がＤＴＸを受信した後、干渉されたサブフレームがＨＡＲＱの新しい伝送データとして再度スケジューリングされ、かつ干渉されたサブフレームに対してＨＡＲＱ合併を行わないこと、または
第二のＭＡＣ層がＡＣＫを受信した後、第二のＭＡＣ層が後続のサブフレームのＭＣＳ値を増加し、同時に後続のサブフレームのスケジューリングを行うこと、または
第二のＭＡＣ層がＮＡＣＫを受信した後、第二のＭＡＣ層が後続のサブフレームのＭＣＳ値を減少させ、同時に対応するＨＡＲＱプロセスの再送データをスケジューリングし、ＨＡＲＱ合併を行うことを含む。
【００４６】
本発明の実施形態によるＬＴＥシステムのＤＭＥ干渉抵抗能力を向上させる方法において、ＬＴＥ  ＵＥ側の基本的な実現プロセスは、図４に示すように、以下のステップを含む。
【００４７】
ステップ１０１において、シンボルレベルＤＭＥ干渉結果を取得する。
【００４８】
ここで、第一のダウンリンクＰＨＹ層は、時間領域データシンボル間の電力比と予め設定された閾値を比較することで、シンボルレベルＤＭＥ干渉結果を取得し、取得された結果を第一のＭＡＣ層に送信する。
【００４９】
ここで、前記予め設定された閾値に対して、ＤＭＥ信号が到来する場合にデータが飽和となるので、無線受信装置の飽和データと正常データの電力比に基づいて前記予め設定された閾値を計算して取得し、前記予め設定された閾値の範囲が２ｄＢ〜１０ｄＢであってよい。
【００５０】
ステップ１０２において、取得されたシンボルレベルＤＭＥ干渉結果および現在のサブフレームのスケジューリング状況に基づいて、現在のサブフレームのＤＭＥによって干渉された状況を判定し、対応するスケジューリングメッセージを送信する。
【００５１】
ここで、第一のＭＡＣ層が第一のダウンリンクＰＨＹ層から報告されたシンボルレベルＤＭＥ干渉結果に基づいて、現在のサブフレームにおけるＰＤＳＣＨスケジューリングの有無と組み合わせて現在のサブフレームがＤＭＥによって干渉されるかどうかの判定を行うことは、具体的に、
シンボルレベルＤＭＥ干渉が存在し、かつ現在のサブフレームにおけるＰＤＳＣＨスケジューリングがあると、現在のサブフレームがＤＭＥによって干渉されたと判定すること、または
シンボルレベルＤＭＥ干渉が存在し、且つ現在のサブフレームのＰＤＳＣＣＨスケジューリングがないと、現在のサブフレームがＤＭＥによって干渉されないと判定すること、または
シンボルレベルＤＭＥ干渉が存在しないと、現在のサブフレームがＤＭＥによって干渉されないと判定することを含む。
【００５２】
それに対応して、第一のＭＡＣ層が現在のサブフレームのシンボルレベルＤＭＥ干渉結果に基づいて対応するスケジューリングメッセージを送信することは、具体的に、
現在のサブフレームがＤＭＥによって干渉されると、第一のＭＡＣ層がＤＴＸメッセージを送信するように第一のアップリンクＰＨＹ層に通知すること、または
現在のサブフレームがＤＭＥによって干渉されないと、第一のＭＡＣ層がＡＣＫ／ＮＡＣＫメッセージを送信するように第一のアップリンクＰＨＹ層に通知することを含む。
【００５３】
それに対応して、第一のＰＨＹ層は、第一のＭＡＣ層の通知に応じてＤＴＸまたはＡＣＫ／ＮＡＣＫメッセージを送信する。
【００５４】
ここで、具体的にどのようにＤＴＸまたはＡＣＫ／ＮＡＣＫメッセージを送信するかは、従来技術に属するので、ここで説明は省略する。
【００５５】
本発明の実施形態によるＬＴＥシステムのＤＭＥ干渉抵抗能力を向上させる方法において、ＬＴＥ  ｅＮＢ側の基本的な実現プロセスは、図５に示すように、以下のステップを含む。
【００５６】
ステップ２０１において、受信されたスケジューリングメッセージを検出する。
【００５７】
ここで、第二のアップリンクＰＨＹ層は、スケジューリングメッセージを受信したかどうかをリアルタイムに検出し、具体的には、ＤＴＸまたはＡＣＫ／ＮＡＣＫメッセージを受信したかどうかをリアルタイムに検出し、検出されたＤＴＸまたはＡＣＫ／ＮＡＣＫメッセージを第二のＭＡＣ層に送信する。
【００５８】
ステップ２０２において、受信されたスケジューリングメッセージに基づいてサブフレームをスケジューリングする。
【００５９】
具体的には、第二のＭＡＣ層がＤＴＸメッセージを受信した後、干渉されたサブフレームは、ＨＡＲＱの新しい伝送データとして再度スケジューリングされ、再度のスケジューリングがＤＭＥの長い間隔の狭いパルスの干渉を避け、干渉されたサブフレームに対してＨＡＲＱ合併を行わないので、後続のサブフレームのＰＤＳＣＨのＭＣＳ値に影響を与えない。
【００６０】
第二のＭＡＣ層は、ＡＣＫメッセージを受信した後、後続のサブフレームのＭＣＳ値を増加し、同時に後続のサブフレームのスケジューリングを行う。
【００６１】
第二のＭＡＣ層は、ＮＡＣＫメッセージを受信した後、後続のサブフレームのＭＣＳ値を減少させ、同時に対応するＨＡＲＱプロセスの再送データをスケジューリングし、ＨＡＲＱ合併を行う。
【００６２】
ステップ２０２の後、ＬＴＥ  ｅＮＢの第二のダウンリンクＰＨＹ層がＬＴＥプロトコルに従って後続の処理を行うことをさらに含むことができ、具体的にどのように処理するかは、従来技術に属するので、ここで説明は、省略する。
【００６３】
以下に図面と具体的な実施形態を参照して本発明の技術的解決手段をさらに詳しく説明する。
【００６４】
本発明の実施形態によるＬＴＥシステムのＤＭＥ干渉抵抗能力を向上させる方法においてＬＴＥ  ＵＥ側の具体的な実現プロセスは、図６に示すように、以下のステップを含む。
【００６５】
ステップ３０１において、シンボルレベルＤＭＥ干渉結果を取得し、取得された結果を第一のＭＡＣ層に送信する。
【００６６】
具体的には、第一のダウンリンクＰＨＹ層は、時間領域データシンボル０〜シンボル１３の隣接するシンボル間の電力比と予め設定された閾値を計算して比較してシンボルレベルＤＭＥ干渉結果を取得し、この結果を第一のＭＡＣ層に送信する。
【００６７】
前記予め設定された閾値に対して、ＤＭＥ信号が到来する場合にデータが飽和となるので、無線受信装置の飽和データと正常データの電力比に基づいて前記予め設定された閾値を計算して取得することができ、前記予め設定された閾値の範囲が２ｄＢ〜１０ｄＢであってよい。本実施形態において、前記設定された閾値は、６ｄＢである。
【００６８】
ここで、シンボルレベルＤＭＥ干渉結果が１４ｂｉｔのｂｉｔストリームｂｉｔ０〜ｂｉｔ１３で表される。具体的には、ｂｉｔ０が１であることがシンボル０と前のサブフレームシンボル１３の電力比が閾値以上であることを示し、シンボルレベルＤＭＥ干渉が存在すると判定し、ｂｉｔ０が０であることがシンボル０と前のサブフレームシンボル１３の電力比が閾値より小さいことを表し、シンボルレベルＤＭＥ干渉が存在しないと判定し、ｂｉｔ１が１であることがシンボル１とシンボル０の電力比が閾値以上であることを示し、シンボルレベルＤＭＥ干渉が存在すると判定し、ｂｉｔ１が０であることがシンボル１とシンボル０の電力比が閾値より小さいことを表し、シンボルＤＭＥ干渉が存在しないと判定し、このように類推して後続のシンボルレベルＤＭＥ干渉が存在するかどうかを判定すると定義している。
【００６９】
ステップ３０２において、現在のサブフレームのＤＭＥによって干渉された状況を判定する。
【００７０】
第一のＭＡＣ層は、第一のダウンリンクＰＨＹ層から報告されたシンボルレベルＤＭＥ干渉結果に基づいて、現在のサブフレームにおけるＰＤＳＣＨスケジューリングの有無と組み合わせて現在のサブフレームがＤＭＥによって干渉されたかどうかを判定することは、具体的に、
シンボルレベルＤＭＥ干渉が存在し、かつ現在のサブフレームにおけるＰＤＳＣＨスケジューリングがあると、現在のサブフレームがＤＭＥによって干渉されたと判定すること、または
シンボルレベルＤＭＥ干渉が存在し、現在のサブフレームにおけるＰＤＳＣＨスケジューリングがないと、現在のサブフレームがＤＭＥによって干渉されないと判定すること、または
シンボルレベルＤＭＥ干渉が存在しないと、現在のサブフレームがＤＭＥによって干渉されないと判定することを含む。
【００７１】
ステップ３０３において、現在のサブフレームのＤＭＥによって干渉された状況に基づいて対応するスケジューリングメッセージを送信する。
【００７２】
具体的には、現在のサブフレームが干渉された場合、第一のＭＡＣ層は、ＤＴＸメッセージを送信するように第一のアップリンクＰＨＹ層に通知し、
現在のサブフレームが干渉されないと、第一のＭＡＣ層は、ＡＣＫ／ＮＡＣＫメッセージを送信するように第一のアップリンクＰＨＹ層に通知し、
それに対応して、第一のアップリンクＰＨＹ層は、第一のＭＡＣ層の通知に応じてＤＴＸまたはＡＣＫ／ＮＡＣＫメッセージを送信する。
【００７３】
ここで、具体的にどのようにＤＴＸまたはＡＣＫ／ＮＡＣＫメッセージを送信するかは、従来技術に属するので、ここで説明は省略する。
【００７４】
ステップ３０１〜３０３を実行した後、ＬＴＥ  ｅＮＢは、第一のアップリンクＰＨＹ層から送信されたスケジューリングメッセージに基づいて後続の処理を行い、共同でＬＴＥ  ＵＥとＬＴＥ  ｅＮＢのインタラクションの処理方法を構成し、本発明の実施形態によるＬＴＥシステムのＤＭＥ干渉抵抗能力を向上させる方法においてＬＴＥ  ｅＮＢ側の具体的な実現プロセスは、図７に示すように、以下のステップを含む。
【００７５】
ステップ４０１において、受信されたスケジューリングメッセージを検出する。
【００７６】
ここで、第二のアップリンクＰＨＹ層は、スケジューリングメッセージを受信したかどうかをリアルタイムに検出し、具体的には、ＤＴＸまたはＡＣＫ／ＮＡＣＫメッセージを受信したかどうかをリアルタイムに検出し、検出されたＤＴＸまたはＡＣＫ／ＮＡＣＫメッセージを第二のＭＡＣ層に送信する。
【００７７】
ステップ４０２において、受信されたメッセージがＤＴＸメッセージであるかどうかを判定し、ＤＴＸメッセージであれば、ステップ４０３を実行し、ＤＴＸメッセージでなければ、ステップ４０４を実行する。
【００７８】
ここで、第二のＭＡＣ層は、受信されたメッセージがＤＴＸメッセージであるかどうかを判定する。
【００７９】
ステップ４０３において、干渉されたサブフレームを再度スケジューリングし、現在の処理プロセスを終了する。
【００８０】
具体的には、第二のＭＡＣ層は、ＨＡＲＱの新しい再送データとする干渉されたサブフレームを再度スケジューリングし、再度スケジューリングがＤＭＥの長い間隔の狭いパルスの干渉を避け、干渉されたサブフレームに対してＨＡＲＱ合併を行わないので、後続のサブフレームのＰＤＳＣＨのＭＣＳ値に影響を与えない。
【００８１】
ステップ４０４において、ＬＴＥプロトコルにおけるプロセスに従って処理する。
【００８２】
ここで、第二のＭＡＣ層は、ＡＣＫメッセージを受信した後、後続のサブフレームのＭＣＳ値を増加し、同時に後続のサブフレームをスケジューリングする。
【００８３】
第二のＭＡＣ層は、ＮＡＣＫメッセージを受信した後、後続のサブフレームのＭＣＳ値を減少させ、同時に対応するＨＡＲＱプロセスの再送データをスケジューリングし、ＨＡＲＱ合併を行う。
【００８４】
ステップ４０４の後、第二のダウンリンクＰＨＹ層がＬＴＥプロトコルに従って後続の処理を行うことをさらに含むことができる。具体的にどのように処理するかは、従来技術に属するので、ここで説明は、省略する。
【００８５】
本発明の実施形態によるＬＴＥシステムのＤＭＥ干渉抵抗能力を向上させる方法において、設定された閾値が６ｄＢである場合、ＬＴＥシステムのＤＭＥによって干渉された場合のダウンストリームトラフィックは、干渉されない場合のストリームトラフィックの１３％から干渉されない場合のストリームトラフィックの８０％に向上することができ、ストリームトラフィックを節約するだけではなく、無線リソースの浪費を避ける。
【００８６】
前記ＬＴＥシステムのＤＭＥ干渉抵抗能力を向上させる方法を実現するために、本発明の実施形態は、さらにＬＴＥシステムのＤＭＥ干渉抵抗能力を向上させるＵＥを提供する。前記ＬＴＥシステムのＤＭＥ干渉抵抗能力を向上させるＵＥの構成構造は、図８に示すように、第一のダウンリンクＰＨＹ層１１、第一のＭＡＣ層１２および第一のアップリンクＰＨＹ層１３を含む。
【００８７】
第一のダウンリンクＰＨＹ層１１は、シンボルレベルＤＭＥ干渉結果を取得するように構成される。
【００８８】
ここで、第一のダウンリンクＰＨＹ層は、時間領域データシンボル間の電力比と閾値を比較して、シンボルレベルＤＭＥ干渉結果を取得し、取得された結果を第一のＭＡＣ層に送信する。
【００８９】
第一のＭＡＣ層１２は、第一のダウンリンクＰＨＹ層から送信されたシンボルレベルＤＭＥ干渉結果および現在のサブフレームにおけるＰＤＳＣＨスケジューリングがあるかどうかに基づいて現在のサブフレームのＤＭＥによって干渉された状況を判定し、対応するスケジューリングメッセージを送信するように第一のアップリンクＰＨＹ層に通知するように構成される。
【００９０】
第一のＭＡＣ層１２が第一のダウンリンクＰＨＹ層１１から送信されたシンボルレベルＤＭＥ干渉結果に基づいて、現在のサブフレームにおけるＰＤＳＣＨスケジューリングの有無と組み合わせて現在のサブフレームのＤＭＥによって干渉された状況を判定することは、具体的に、
シンボルレベルＤＭＥ干渉が存在し、かつ現在のサブフレームにおけるＰＤＳＣＨスケジューリングがあると、現在のサブフレームがＤＭＥによって干渉されたと判定すること、または
シンボルレベルＤＭＥ干渉が存在し、かつ現在のサブフレームにおけるＰＤＳＣＨスケジューリングがないと、現在のサブフレームがＤＭＥによって干渉されないと判定すること、または
シンボルレベルＤＭＥ干渉が存在しないと、現在のサブフレームがＤＭＥによって干渉されないと判定することである。
【００９１】
第一のＭＡＣ層１２が現在のサブフレームのシンボルレベルＤＭＥ干渉結果に基づいて対応するスケジューリングを行うことは、具体的に、
現在のサブフレームがＤＭＥによって干渉された場合、第一のＭＡＣ層１２がＤＴＸメッセージを送信するように第一のアップリンクＰＨＹ層１３に通知し、
現在のサブフレームがＤＭＥによって干渉されない場合、第一のＭＡＣ層１２がＡＣＫ／ＮＡＣＫメッセージを送信するように第一のアップリンクＰＨＹ層１３に通知することである。
【００９２】
第一のアップリンクＰＨＹ層１３は、第一のＭＡＣ層１２の通知に応じてＤＴＸまたはＡＣＫ／ＮＡＣＫメッセージを送信するように構成される。
【００９３】
前記ＬＴＥシステムのＤＭＥ干渉抵抗能力を向上させる方法を実現するために、本発明の実施形態は、さらにＬＴＥシステムのＤＭＥ干渉抵抗能力を向上させるｅＮＢを提供する。前記ＬＴＥシステムのＤＭＥ干渉抵抗能力を向上させるｅＮＢの構成構造は、図９に示すように、第二のアップリンクＰＨＹ層２１、第二のＭＡＣ層２２および第二のアップリンクＰＨＹ層２３を含む。
【００９４】
第二のアップリンクＰＨＹ層２１は、スケジューリングメッセージを受信したかどうかをリアルタイムに検出し、検出されたスケジューリングメッセージを第二のＭＡＣ層に送信するように構成される。
【００９５】
具体的に、アップリンクＰＨＹ層２１は、検出された第一のアップリンクＰＨＹ層1３から送信されたＤＴＸまたはＡＣＫ／ＮＡＣＫメッセージを第二のＭＡＣ層２２に送信する。
【００９６】
第二のＭＡＣ層２２は、第二のアップリンクＰＨＹ層２１から送信されたスケジューリングメッセージに基づいてスケジューリングするように構成される。
【００９７】
具体的に、第二のＭＡＣ層２２は、受信されたメッセージがＤＴＸメッセージである場合、ＨＡＲＱの新しい再送データとする干渉されたサブフレームを再度スケジューリングするように構成され、
第二のＭＡＣ層２２は、ＡＣＫメッセージを受信した場合、後続のサブフレームのＭＣＳ値を増加し、後続のサブフレームをスケジューリングするように構成され、
第二のＭＡＣ層２２は、ＮＡＣＫメッセージを受信した場合、後続のサブフレームのＭＣＳ値を減少させ、ＨＡＲＱプロセスの再送データをスケジューリングし、ＨＡＲＱを合併するように構成される。
【００９８】
第二のダウンリンクＰＨＹ層２３は、第二のＭＡＣ層２２のスケジューリング情報に基づいて、ダウンリンク時間領域データを第一のダウンリンクＰＨＹ層１１に送信するように構成される。
【００９９】
実際の応用において、前記第一のＭＡＣ層１２、前記第二のＭＡＣ層２２の機能が中央処理装置（ＣＰＵ）、および／またはマイクロプロセッサ（ＭＰＵ）によって実現されることができ、第一のダウンリンクＰＨＹ層１１、第一のアップリンクＰＨＹ層１３、第二のアップリンクＰＨＹ層２１および第二のダウンリンクＰＨＹ層２３の機能がデジタル信号プロセッサ（ＤＳＰ）および／またはフィールドプログラマブルゲートアレイ（ＦＰＧＡ）によって実現されることができると説明すべきである。前記ＣＰＵ、および／またはＭＰＵ、および／またはＤＳＰ、および／またはＦＰＧＡは、それぞれＬＴＥ  ＵＥ側、および／またはＬＴＥ  ｅＮＢ側に位置することができる。
【０１００】
また、本発明の実施形態によるコンピュータ記憶媒体は、基地局側方法のうちのいずれか一つの技術的解決手段に記載される方法を実行するためのコンピュータ実行可能命令を記憶している。
【０１０１】
また、本発明の実施形態によるコンピュータ記憶媒体は、基地局側のいずれか一つの技術的解決手段に記載される方法を実行するためのコンピュータ実行可能命令を記憶している。
【０１０２】
前記記憶媒体は、Ｕディスク、光ディスク、ＤＶＤまたはモバイルハードディスクなどの記憶媒体であってよく、好ましくは、非瞬間記憶媒体である。
【０１０３】
本発明の実施形態において図１０に示す装置が提供され、プロセッサ５２、記憶媒体５４および少なくとも一つの外部通信インターフェイス５１を含み、前記プロセッサ５２、記憶媒体５４および外部通信インターフェイス５１がいずれもバス５３を介して接続する。前記プロセッサ５２は、マイクロプロセッサ、中央プロセッサ、デジタル信号プロセッサまたはフィールドプログラマブルロジックアレイなどの処理機能を備える電子部品であってよい。
【０１０４】
前記記憶媒体５４にはコンピュータ実行可能命令が記憶され、前記プロセッサ５２が前記記憶媒体５４に記憶された前記コンピュータ実行可能命令を実行して以下の２つのスキームのいずれかの一つを実現できる。
【０１０５】
スキーム１：
シンボルレベル距離測定装置（ＤＭＥ）干渉結果を取得し、
取得されたシンボルレベルＤＭＥ干渉結果または前記シンボルレベルＤＭＥ干渉結果および現在のサブフレームの物理ダウンリンク共有チャネル（ＰＤＳＣＨ）スケジューリング状況に基づいてスケジューリングメッセージを送信する。
【０１０６】
スキーム２：
スケジューリングメッセージを受信し、前記スケジューリングメッセージが、端末が取得されたシンボルレベルＤＭＥ干渉結果または前記シンボルレベルＤＭＥ干渉結果および現在のサブフレームの物理ダウンリンク共有チャネル（ＰＤＳＣＨ）スケジューリング状況に基づいて送信したスケジューリングメッセージであり、
受信されたスケジューリングメッセージに基づいてサブフレームをスケジューリングする。
【０１０７】
前記装置は、スキーム１を実行することに用いられる場合、移動端末ＵＥの一部とすることができ、前記装置は、スキーム２を実行することに用いられる場合、基地局の一部とすることができ、具体的に例えば発展型基地局（ｅＮＢ）の一部とする。
【０１０８】
前記外部通信インターフェイス５１は、好ましく無線通信インターフェイス、例えば送受信アンテナまたは送受信アンテナアレイなどである。
【０１０９】
以上は、本発明の最適的な実施形態に過ぎなく、本発明の保護範囲を制限することに用いられるものではない。本発明の原理に従って行われる変更は、すべて本発明の保護範囲に含まれると理解すべきである。
【図１】
0006298159.tif 000002
【図２】
0006298159.tif 000003
【図３】
0006298159.tif 000004
【図４】
0006298159.tif 000005
【図５】
0006298159.tif 000006
【図６】
0006298159.tif 000007
【図７】
0006298159.tif 000008
【図８】
0006298159.tif 000009
【図９】
0006298159.tif 000010
【図１０】
0006298159.tif 000011